(57)【特許請求の範囲】
【請求項１】
電子辞書であって、
表示部と、
前記表示部における表示を制御する表示制御部と、
第１のコンテンツと第２のコンテンツとを記憶した記憶部とを備え、
前記第１のコンテンツは、各々が指定可能な複数の第１のデータを含み、
前記第２のコンテンツは、各々が指定可能な複数の第２のデータを含み、
前記記憶部は、前記第１のデータが指定された日を表す第１の指定日情報と、前記第２のデータが指定された日を表す第２の指定日情報とをさらに記憶しており、
前記表示制御部は、
前記第１のコンテンツ専用の第１のカレンダーと、前記第１のコンテンツおよび前記第２のコンテンツ用の第２のカレンダーとを、各々に対応付けられたタブによって前記表示部に切り替え表示可能であって、
前記第１のカレンダーを表示させる場合には、前記第１の指定日情報に基づいて、前記第１のデータが指定された日と同じ日の欄に予め定められたオブジェクトを表示させる一方で、前記第２のデータが指定された日と同じ日の欄には前記オブジェクトを表示させず、
前記第２のカレンダーを表示させる場合には、前記第１の指定日情報と前記第２の指定日情報とに基づいて、前記第１のデータが指定された日と同じ日の欄と前記第２のデータが指定された日と同じ日の欄とに、前記オブジェクトを表示させ、
前記第１のデータおよび前記第２のデータの各々は、見出し語であり、
前記第１のデータの指定および前記第２のデータの指定の各々は、前記見出し語の検索と、検索された前記見出し語の登録とを含み、
前記電子辞書は、
前記第２のカレンダーにおける日にちの欄を選択する第１のユーザ操作を受け付けることによって、日にちの指定を受け付ける入力受付部と、
前記日にちの指定を受け付けたことに基づき、前記第１のコンテンツに含まれる前記見出し語であって、かつ前記第２のカレンダーにおいて指定された前記日にちに登録された前記見出し語と、前記第２のコンテンツに含まれる前記見出し語であって、かつ前記第２のカレンダーにおいて指定された前記日にちに登録された前記見出し語とを含む単語帳を生成する生成部とをさらに備える、電子辞書。
【請求項２】
前記入力受付部は、前記第１のユーザ操作による前記日にちの指定を受け付けた後に、前記第１のカレンダーにおける日にちの欄を選択する第２のユーザ操作をさらに受け付けることによって、日にちの指定をさらに受け付け、
前記第２のユーザ操作による前記日にちの指定をさらに受け付けたことに基づき、前記生成部は、前記第１のコンテンツに含まれる前記見出し語であって、かつ前記第１のカレンダーにおいて指定された前記日にちに登録された前記見出し語をさらに含む前記単語帳を生成する、請求項１に記載の電子辞書。
【請求項３】
前記オブジェクトは、第１のオブジェクトと、第２のオブジェクトとを含み、
前記表示制御部は、前記第２のカレンダーを表示させる場合には、前記第１のデータが指定された日と同じ日の欄に前記第１のオブジェクトを表示させ、前記第２のデータが指定された日と同じ日の欄に前記第２のオブジェクトを表示させる、請求項１または２に記載の電子辞書。
【発明の詳細な説明】
【技術分野】
【０００１】
本発明は、表示部を備えた電子機器に関する。
【背景技術】
【０００２】
従来、複数のコンテンツ（英和辞典、国語辞典等）を記憶した電子辞書が知られている。このような電子辞書は、コンテンツに含まれる見出し語と、当該見出し語の説明情報とを表示する。また、このような電子辞書は、一般的に、検索された見出し語を登録する単語登録機能を有している。
【０００３】
特許文献１（特開２００８−２１０１９４号公報）に記載の電子辞書は、検索された見出し語をヒストリ見出し語として検索順に逐次記憶する機能を有している。また、特許文献１に記載の電子辞書は、タブの選択するユーザ操作を受け付けることによって、「国語系」、「欧米系」、「アジア系」、および「全ジャンル」の各々のヒストリストを切替表示することができる。
【０００４】
特許文献２（特開２０００−３３１１０４号公報）には、カレンダーを表示することが可能なデータ処理装置が開示されている。当該データ処理装置は、ユーザによって入力されたスケジュールに基づき、指定された日の欄に入力された予定を表示する。
【先行技術文献】
【特許文献】
【０００５】
【特許文献１】特開２００８−２１０１９４号公報
【特許文献２】特開２０００−３３１１０４号公報
【発明の概要】
【発明が解決しようとする課題】
【０００６】
しかしながら、特許文献１の電子辞書では、見出し語の検索日時が見出し語とともにテキスト形式で縦一列に表示される構成にすぎないため、所定の期間（たとえば一月）において見出し語を検索した日を迅速に把握することができない。
【０００７】
本発明は、上記の問題点に鑑みなされたものであって、その目的は、ユーザが所定の期間内においてコンテンツに含まれるデータ（たとえば、見出し語）を指定した日（たとえば、検索日あるいは登録日）を、ユーザが迅速に把握することが可能な電子機器を提供することにある。
【課題を解決するための手段】
【０００８】
本発明のある局面に従うと、電子機器は、表示部と、表示部における表示を制御する表示制御部と、第１のコンテンツと第２のコンテンツとを記憶した記憶部とを備える。第１のコンテンツは、各々が指定可能な複数の第１のデータを含む。第２のコンテンツは、各々が指定可能な複数の第２のデータを含む。記憶部は、第１のデータが指定された日を表す第１の指定日情報と、第２のデータが指定された日を表す第２の指定日情報とをさらに記憶している。表示制御部は、第１のコンテンツ専用の第１のカレンダーと、第１のコンテンツおよび第２のコンテンツ用の第２のカレンダーとを、各々に対応付けられたタブによって表示部に切り替え表示可能である。表示制御部は、第１のカレンダーを表示させる場合には、第１の指定日情報に基づいて、第１のデータが指定された日と同じ日の欄に予め定められたオブジェクトを表示させる一方で、第２のデータが指定された日と同じ日の欄にはオブジェクトを表示させない。表示制御部は、第２のカレンダーを表示させる場合には、第１の指定日情報と第２の指定日情報とに基づいて、第１のデータが指定された日と同じ日の欄と第２のデータが指定された日と同じ日の欄とに、オブジェクトを表示させる。
【発明の効果】
【０００９】
本発明によれば、所定の期間内においてコンテンツに含まれるデータをユーザが指定した日を、ユーザが迅速に把握することが可能となる。
【図面の簡単な説明】
【００１０】
【図１】電子辞書の外観を表した図である。
【図２】電子辞書のハードウェア構成を示した図である。
【図３】電子辞書における単語登録機能によってフラッシュメモリに記憶されたデータを説明するための図である。
【図４】電子辞書におけるユーザインターフェイスを説明するための図である。
【図５】電子辞書の機能的構成を説明するための機能ブロック図である。
【図６】六ヶ月カレンダー表示を表した図である。
【図７】三ヶ月カレンダー表示を表した図である。
【図８】月間カレンダー表示を表した図である。
【図９】閲覧画面から編集画面への切り替えの方法と、編集画面における表示内容とを説明するための図である。
【図１０】月間カレンダーを用いて日にちを指定する処理を説明するための図である。
【図１１】月間カレンダーを用いて他の日にちをさらに指定する処理を説明するための図である。
【図１２】図１１の状態（Ｂ）から遷移した後の画面を表している。
【図１３】図１２の状態から遷移した後の画面を表している。
【図１４】図１３の状態から遷移した後の画面を表している。
【図１５】抽出処理を開始させるための抽出ボタンが選択されたときの処理を説明するための図である。
【図１６】抽出および結合処理を開始させるための結合ボタンが選択されたときの処理を説明するための図である。
【図１７】電子辞書の処理の流れを表したフローチャートである。
【図１８】図１７におけるステップＳ４における処理の流れを表したフローチャートである。
【発明を実施するための形態】
【００１１】
以下、図面を参照しつつ、本発明の各実施の形態に係る電子機器について説明する。また、以下の説明では、同一の部材には同一の参照符号を付してある。それらの名称および機能も同じである。したがって、それらについての詳細な説明は繰り返さない。
【００１２】
以下では、電子機器の一例として、電子辞書を説明する。ただし、電子機器は、電子辞書に限定されるものではなく、複数のコンテンツを記憶しており、各コンテンツ内でデータの指定ができるものであればよい。たとえば、電子機器は、静止画像または動画画像を再生する再生装置であってもよい。また、電子機器は、電子辞書そのものではなく、電子辞書機能を有するスマートフォン、タブレット等の各種の機器であってもよい。
【００１３】
電子機器の一例としての電子辞書においては、コンテンツは辞書であり、コンテンツにおいて指定されるデータは見出し語となる。また、以下では、データ（見出し語）の指定は、見出し語の検索および登録を意味するものとする。なお、データの指定を見出し語の検索のみとすることも可能である。
【００１４】
［実施の形態１］
＜Ａ．ハードウェア構成＞
図１は、電子辞書１の外観を表した図である。図１を参照して、電子辞書１は、タッチスクリーン１０５と、複数の操作キーとを備える。タッチスクリーン１０５は、ディスプレイとタッチパネルとを含んで構成される。タッチパネルは、ユーザの指、スタイラスペン９等による入力を受け付ける。
【００１５】
図２は、電子辞書１のハードウェア構成を示した図である。図２を参照して、電子辞書１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、タッチスクリーン１０５と、スピーカ１０６と、電子辞書１のユーザによる指示の入力を受ける操作キー１０７と、通信ＩＦ（Interface）１０８と、ＩＣ（Integrated Circuit）カードリーダライタ１０９と、電源ユニット１１０とを備える。
【００１６】
タッチスクリーン１０５は、表示装置としてのディスプレイ１０５１と、入力装置としてのタッチパネル１０５２とにより構成される。具体的には、タッチスクリーン１０５は、ディスプレイ１０５１（たとえば液晶ディスプレイ）上にタッチパネル１０５２を位置決めした上で固定することにより実現される。なお、タッチスクリーンは、タッチパネルディスプレイ、タッチパネル付きディスプレイ、あるいはタッチパネルモニタとも称される。なお、タッチスクリーン１０５においては、タッチ位置の検出方法として、たとえば抵抗膜方式または静電容量方式を用いることができる。
【００１７】
フラッシュメモリ１０４は、不揮発性の半導体メモリである。フラッシュメモリ１０４は、ＣＰＵ１０１が実行するオペレーティングシステムおよび各種のプログラム、各種のコンテンツおよびデータを格納している。また、フラッシュメモリ１０４は、電子辞書１が生成したデータ、電子辞書１の外部装置から取得したデータ等の各種データを揮発的に格納する。
【００１８】
フラッシュメモリ１０４は、たとえば、上記コンテンツとして、英和辞典、和英辞典、国語辞典、日本史辞典、世界史辞典といった各種の科目（教科）に関する辞典（辞書）を記憶している。また、フラッシュメモリ１０４は、上記データとして、後述する単語帳を記憶する。
【００１９】
スピーカ１０６は、ＣＰＵ１０１からの指令に応じて音を発生させる。通信ＩＦ１０８は、他の装置と通信を行なうための用いられるインターフェースである。通信ＩＦ１０８は、無線および／または有線にてデータを送信するための処理を行なう。
【００２０】
タッチパネル１０５２は、ユーザの指およびスタイラスペン９等による入力（タッチ入力）を受け付ける入力デバイスである。ＣＰＵ１０１は、タッチパネル１０５２からの出力に基づいて入力位置を特定し、当該特定した入力位置に基づいた画面表示を行なう。
【００２１】
各構成要素１０１〜１１０は、相互にデータバスによって接続されている。ＩＣカードリーダライタ１０９には、メモリカード１０９１が装着される。
【００２２】
電子辞書１における処理は、各ハードウェアおよびＣＰＵ１０１により実行されるソフトウェアによって実現される。このようなソフトウェアは、フラッシュメモリ１０４に予め記憶されている場合がある。また、ソフトウェアは、メモリカード１０９１その他の記憶媒体に格納されて、プログラムプロダクトとして流通している場合もある。あるいは、ソフトウェアは、いわゆるインターネットに接続されている情報提供事業者によってダウンロード可能なプログラムプロダクトとして提供される場合もある。このようなソフトウェアは、ＩＣカードリーダライタ１０９その他の読取装置によりその記憶媒体から読み取られて、あるいは、通信ＩＦを介してダウンロードされた後、フラッシュメモリ１０４に一旦格納される。そのソフトウェアは、ＣＰＵ１０１によってフラッシュメモリ１０４から読み出され、さらにフラッシュメモリ１０４に実行可能なプログラムの形式で格納される。ＣＰＵ１０１は、そのプログラムを実行する。
【００２３】
同図に示される電子辞書１を構成する各構成要素は、一般的なものである。したがって、本発明の本質的な部分は、フラッシュメモリ１０４、メモリカード１０９１その他の記憶媒体に格納されたソフトウェア、あるいはネットワークを介してダウンロード可能なソフトウェアであるともいえる。なお、電子辞書１の各ハードウェアの動作は周知であるので、詳細な説明は繰り返さない。
【００２４】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００２５】
ここでいうプログラムとは、ＣＰＵにより直接実行可能なプログラムだけでなく、ソースプログラム形式のプログラム、圧縮処理されたプログラム、暗号化されたプログラム等を含む。
【００２６】
＜Ｂ．処理の概要＞
以下では、電子辞書１における処理の概要を、図３および図４に基づいて説明する。
【００２７】
図３は、電子辞書１における単語登録機能によってフラッシュメモリ１０４に記憶されたデータ（以下、「単語帳」とも称する）を説明するための図である。図３を参照して、ある局面において、電子辞書１は、ユーザの単語帳への単語の登録操作によって、英単語の単語帳５１、日本史の単語帳５２、および世界史の単語帳５３等を記憶している。なお、英単語の単語帳５１は、典型的には、英和辞典の閲覧中におけるユーザ操作に基づき作成される。
【００２８】
各単語帳５１〜５３においては、典型的には、単語（見出し語）の識別番号と、単語登録日時とが対応付けて記憶されている。電子辞書１は、識別番号によって、見出し語を一意に特定することができる。なお、各単語帳５１〜５３に、識別番号の代わりに、見出し語および当該見出し語の説明情報そのものが記憶されていてもよい。
【００２９】
図４は、電子辞書１におけるユーザインターフェイスを説明するための図である。詳しくは、図４は、ある局面においてタッチスクリーン１０５（詳しくは、ディスプレイ１０５１）に表示される画面を表している。
【００３０】
図４を参照して、状態（Ａ）は、カレンダー表示を行なう所定の動作モードにおいて、スタイラスペン９によってタブ３１０が選択された状態を表している。また、状態（Ａ）は、一例として２０１６年７月の月間カレンダーが表示された状態を表している。
【００３１】
状態（Ａ）では、電子辞書１は、タブ３１０に関連付けられた月間カレンダー４１０と、選択されていないタブ３２０，３３０と、単語帳を選択するためのリスト２１０と、閲覧画面に遷移させるためのボタン２２０（以下、「閲覧ボタン２２０」とも称する）と、編集状画面に遷移させるためのボタン２３０（以下、「編集ボタン２３０」とも称する）と、抽出処理を開始させるためのボタン２４０（以下、「抽出ボタン２４０」とも称する）と、抽出処理および結合処理を開始させるためのボタン２５０（以下、「結合ボタン２５０」とも称する）とをタッチスクリーン１０５に表示する。なお、各ボタン２２０，２３０，２４０，２５０は、スタイラスペン９等でユーザが選択可能なソフトウェアボタンである。
【００３２】
月間カレンダー４１０は、英和辞典および日本史辞典用の月間カレンダーである。なお、タブ３１０には、リスト２１０で選択された全ての単語帳に関する辞書の月間カレンダー４１０が関連付けられているために、タブの名称として“全て”といった用語が表示されている。
【００３３】
詳しくは、状態（Ａ）は、リスト２１０において英単語の単語帳と日本史の単語帳とがユーザによって選択され、かつ閲覧ボタン２２０がアクティブである状態において、タブ３１０が選択された状態を表している。
【００３４】
また、リスト２１０において英単語の単語帳と日本史の単語帳とがユーザによって選択されているため、電子辞書１は、英単語に関するタブ３２０と、日本史に関するタブ３３０とをタッチスクリーン１０５に表示している。さらに、リスト２１０において複数の単語帳（英単語の単語帳，日本史の単語帳）がユーザによって選択されているため、電子辞書１は、当該複数の単語帳に関するタブ３１０およびタブ３１０に関連付けられた月間カレンダー４１０をタッチスクリーン１０５に表示している。
【００３５】
上記のようにタブ３１０が選択されると、電子辞書１は、月間カレンダー４１０において、リスト２１０において選択された単語帳に単語（見出し語）が登録された日の欄に、所定のオブジェクトを表示す。具体的には、電子辞書１は、当該欄に所定のアイコンを表示する。典型的には、電子辞書１は、当該欄に所定の記号を表示する。
【００３６】
さらに具体的には、電子辞書１は、英単語帳に単語が登録された日の欄に記号９２（具体的には、丸印）を表示し、日本史の単語が登録された日の欄に記号９２とは異なる形態の記号９３（具体的には、三角印）を表示する。電子辞書は、英単語帳に単語が登録された日と日本史の単語が登録された日とが重複している場合には、当該日にちの欄に記号９２と記号９３とを同時に表示する。
【００３７】
状態（Ａ）において、スタイラスペン９等を用いたタブ３３０を選択するユーザ操作を電子辞書１が受け付けると、電子辞書１は、状態（Ｂ）に遷移し、表示する月間カレンダーを、タブ３１０に関連付けられた月間カレンダー４１０から、タブ３３０に関連付けられた、日本史辞典専用の月間カレンダー４３０に切り替える。なお、状態（Ｂ）に遷移すると、タブ３１０が非選択の状態となり、タブ３３０が選択された状態となる。
【００３８】
状態（Ｂ）においては、電子辞書１は、月間カレンダー４３０において、日本史の単語帳に単語が登録された日の欄に、所定のオブジェクトとして、記号９３（三角印）を表示させる。その一方で、電子辞書１は、英単語の単語帳に単語が登録された日の欄には記号９２（丸印）を表示させない。
【００３９】
なお、状態（Ｂ）においてタブ３１０を選択するユーザ操作を電子辞書１が受け付けると、電子辞書１は、状態（Ａ）に遷移する。また、図示していないが、タブ３２０を選択するユーザ操作を電子辞書１が受け付けると、電子辞書１は、英単語の単語帳に単語が登録された日の欄に記号９２（丸印）を表示させる一方で、日本史の単語帳に単語が登録された日の欄には記号９３（三角印）を表示させない。
【００４０】
以上のように、電子辞書１は、ディスプレイと、複数のコンテンツ（英和辞典、日本史辞典等）を記憶するフラッシュメモリ１０４とを備えている。上記コンテンツの１つのである英和辞典は、各々が指定可能な複数の見出し語を含む。また、上記コンテンツの１つである日本史辞典も、英和辞典と同様に、各々が指定可能な複数の見出し語を含む。
【００４１】
電子辞書１は、ある局面においては、図３の単語帳５１，５２に示すように、英和辞典の見出し語が単語登録された日を表す単語登録日時と、日本史辞典の見出し語が単語登録された日を表す単語登録日時を記憶している。また、電子辞書１は、日本史辞典専用の月間カレンダー４３０（図４の状態（Ｂ）参照）と、英和辞典および日本史辞典用の月間カレンダー４１０（図４の状態（Ａ）参照）とを、各々に対応付けられたタブ３３０，３１０によってタッチスクリーン１０５に切り替え表示可能である。
【００４２】
電子辞書１は、日本史辞典専用の月間カレンダー４３０を表示させる場合には、単語帳５２の単語登録日時に基づいて、日本史の単語帳に単語が登録された日と同じ日の欄に記号９３を表示させる一方で、英単語の単語帳に単語が登録された日と同じ日の欄には記号９２を表示しない（図４の状態（Ｂ））。また、電子辞書１は、英和辞典および日本史辞典用の月間カレンダー４１０を表示させる場合には、単語帳５１，５２の単語登録日時に基づいて、日本史の単語帳に単語が登録された日と同じ日の欄に記号９３を表示するとともに、英単語の単語帳に単語が登録された日と同じ日の欄に記号９２を表示させる（図４の状態（Ａ））。
【００４３】
このような構成によれば、所定の期間（たとえば、一ヶ月）内において、英和辞典および日本史辞典に含まれる見出し語をユーザが単語登録した日を、ユーザは迅速に把握することが可能となる。また、ユーザは、タブ３２０，３３０を選択することにより、選択されたタブに関連する辞書に含まれる見出し語を単語登録した日を、迅速に把握することが可能となる。さらに、ユーザは、タブ３１０を選択することにより、リスト２１０を用いて選択した複数の単語帳に見出し語を単語登録した日を、迅速に把握することが可能となる。
【００４４】
なお、図４においては、記号９２と記号９３とを異なる形態としているが、記号９２と記号９３との形態が同じであってもよい。たとえば、記号９２と記号９３とが、ともに丸印であってもよい。
【００４５】
また、閲覧画面に遷移させるための閲覧ボタン２２０が選択されている場合には、後述する編集処理が行われない。ただし、閲覧ボタン２２０が選択されている場合には、後述するスワイプ操作に基づく、画面（カレンダー）のスクロール操作を受け付ける。以下、電子辞書１のさらなる機能について説明する。
【００４６】
＜Ｃ．機能的構成＞
図５は、電子辞書１の機能的構成を説明するための機能ブロック図である。図５を参照して、電子辞書１は、入力部２と、制御部３と、記憶部４と、表示部５とを備えている。
【００４７】
入力部２は、ユーザによる操作入力を受け付ける。入力部２は、受け付けた入力に基づく指令を制御部３に送る。
【００４８】
制御部３は、電子辞書１の全体の動作を制御する。制御部３は、単語帳管理部３１と、表示制御部３２とを備える。単語帳管理部３１は、生成部３１１を有する。
【００４９】
単語帳管理部３１は、各コンテンツに関し、ユーザによって作成される単語帳（図３の単語帳５１〜５３等）の管理を行なう。たとえば、単語帳管理部３１は、新たな単語の登録処理、および既に登録されている単語の削除処理等の更新処理を行なう。また、単語帳管理部３１の生成部３１１は、後述する新たな単語帳の生成を行なう。なお、生成された新たな単語帳は、記憶部４の単語帳記憶部５０に格納される。
【００５０】
表示制御部３２は、表示部５における表示内容を制御する。つまり、表示制御部３２は、タッチスクリーン１０５のディスプレイ１０５１に表示を制御する。表示制御部３２による表示内容の例については、後述する。具体的には、図６〜図１６に基づいて、表示内容の例を説明する。
【００５１】
記憶部４は、オペレーティングシステム、アプリケーションプログラム、複数のコンテンツ、および各種のデータを記憶している。記憶部４は、コンテンツ記憶部４０と、単語帳記憶部５０とを有する。
【００５２】
コンテンツ記憶部４０は、国語辞典４１、英和辞典４２、和英辞典４３、世界史辞典４４、日本史辞典４５等の複数のコンテンツを予め記憶している。なお、記憶部４には、外部から新たなコンテンツを記憶させることが可能である。
【００５３】
単語帳記憶部５０は、電子辞書１のユーザによって登録された単語（見出し語）が、コンテンツ毎に記憶されている。ある局面においては、単語帳記憶部５０には、図３に示したように、英単語の単語帳５１、日本史の単語帳５２、および世界史の単語帳５３等を記憶している。
【００５４】
なお、入力部２は、タッチパネル１０５２、操作キー１０７に対応する。記憶部４は、ＲＯＭ１０２、ＲＡＭ１０３、フラッシュメモリ１０４に対応する。表示部５は、ディスプレイ１０５１に対応する。制御部３は、ＣＰＵ１０１による演算処理によって実現される。
【００５５】
［実施の形態２］
＜Ｄ．カレンダーの表示例＞
次に、電子辞書１における画面の表示例について、図６〜図８を参照して説明する。
【００５６】
図４においては、電子辞書１が月間カレンダーを表示している場合を例に挙げて説明した。しかしながら、電子辞書１は、複数月にわたるカレンダーを表示可能である。たとえば、電子辞書１は、三ヶ月カレンダー、六ヶ月カレンダー、年間（十二ヶ月）カレンダーを表示させることができる。以下、これらのカレンダーの表示例を、図６〜図８に基づき説明する。
【００５７】
なお、以下では、一例として、閲覧ボタン２２０がユーザによって選択されると、上記所定の動作モードに遷移し、電子辞書１がカレンダー表示を行なう構成を例に挙げて説明する。具体的には、閲覧ボタン２２０が選択されると、電子辞書１がデフォルトのカレンダーとして年間カレンダー表示を行なう構成を例に挙げて説明する。なお、デフォルトのカレンダーが年間カレンダーである必要はく、たとえば、六ヶ月カレンダーであってもよいし、月間カレンダーであってもよい。
【００５８】
電子辞書１のユーザが、スタイラスペン９等によって年間カレンダーを所定の時間以上タッチし続けると、電子辞書１は、カレンダー表示を、年間カレンダー表示から六ヶ月カレンダー表示に切り替える。
【００５９】
（ｄ１．六ヶ月カレンダー表示）
図６は、六ヶ月カレンダー表示を表した図である。図６を参照して、電子辞書１は、年間カレンダーにおいて所定の時間以上タッチされ続けた月（たとえば、７月）と、当該月の前月および翌月とを少なくとも含む、六ヶ月カレンダーを表示する。
【００６０】
この場合、図４に基づいて説明したように、電子辞書１は、タブ３１０が選択されているときには、記号９２，９３を、六ヶ月カレンダーに含まれる各月において表示する。なお、電子辞書１は、六か月カレンダーを表示した後、スタイラスペン９をタッチスクリーン１０５から離すことにより、当該六ヶ月カレンダーの表示を維持する。
【００６１】
また、電子辞書１は、ユーザからスワイプ操作を受け付けることにより、六ヶ月カレンダー表示を維持しまま、六ヶ月カレンダーの表示月を変更することができる。たとえば、電子辞書１は、画面に対して右方向のスワイプ操作を受け付けることにより、六ヶ月カレンダー表示を、現在の表示から、現在の表示よりも過去の月を含む六ヶ月カレンダー（たとえば、２０１６年の３月〜８月のカレンダー）に切り替える。さらに、電子辞書１は、画面に対して左方向のスワイプ操作を受け付けることにより、六ヶ月カレンダー表示を、現在の表示から、現在の表示よりも未来の月を含む六ヶ月カレンダー（たとえば、２０１６年の５月〜１０月のカレンダー）に切り替える。
【００６２】
なお、電子辞書１は、六ヶ月カレンダーを表示後、所定の時間以上、ユーザからのタッチ操作を受け付けていないことを条件に、カレンダー表示を、六ヶ月カレンダーから年間カレンダーに切り替える。このように、電子辞書１が直前に表示させていた年間カレンダーに表示を戻す理由は、電子辞書１が現在表示しているカレンダーよりも多くの月が表示されるカレンダーを表示することによって、どのような日にちのタイミングで勉強していたのかを、ユーザが現在よりも明確に把握できるようにするためである。なお、どの態様のカレンダーに戻すのかを、ユーザが設定可能なように、電子辞書１を構成してもよい。
【００６３】
また、電子辞書１のユーザが、スタイラスペン９等によって六ヶ月カレンダーを所定の時間以上タッチし続けると、電子辞書１は、カレンダー表示を、六ヶ月カレンダー表示から三ヶ月カレンダー表示に切り替える。
【００６４】
（ｄ２．三ヶ月カレンダー表示）
図７は、三ヶ月カレンダー表示を表した図である。図７を参照して、電子辞書１は、六ヶ月カレンダーにおいて所定の時間以上タッチされ続けた月（たとえば、７月）と、当該月の前月および翌月とを少なくとも含む、三ヶ月カレンダーを表示する。
【００６５】
この場合、図４および図６に基づいて説明したように、電子辞書１は、タブ３１０が選択されているときには、記号９２，９３を、三ヶ月カレンダーに含まれる各月において表示する。なお、電子辞書１は、三ヶ月カレンダーを表示した後、スタイラスペン９をタッチスクリーン１０５から離すことにより、当該三ヶ月カレンダーの表示を維持する。
【００６６】
電子辞書１は、典型的には、三ヶ月カレンダーで表示されている真中の月（図７の場合、７月）のカレンダーを前月のカレンダーおよび翌月のカレンダーよりも大きく表示する。これにより、電子辞書１は、真ん中の月の視認性を高めることができる。
【００６７】
また、電子辞書１は、ユーザからスワイプ操作を受け付けることにより、三ヶ月カレンダー表示を維持しまま、三ヶ月カレンダーの表示月を変更することができる。たとえば、電子辞書１は、画面に対して右方向のスワイプ操作を受け付けることにより、三ヶ月カレンダー表示を、現在の表示から、現在の表示よりも過去の月を含む三ヶ月カレンダー（たとえば、２０１６年の５月〜７月のカレンダー）に切り替える。さらに、電子辞書１は、画面に対して左方向のスワイプ操作を受け付けることにより、三ヶ月カレンダー表示を、現在の表示から、現在の表示よりも未来の月を含む三ヶ月カレンダー（たとえば、２０１６年の７月〜９月のカレンダー）に切り替える。
【００６８】
なお、電子辞書１は、三ヶ月カレンダーを表示後、所定の時間以上、ユーザからのタッチ操作を受け付けていないことを条件に、カレンダー表示を、三ヶ月カレンダーからデフォルトの年間カレンダーに切り替える。
【００６９】
また、電子辞書１のユーザが、スタイラスペン９等によって三ヶ月カレンダーを所定の時間以上タッチし続けると、電子辞書１は、カレンダー表示を、三ヶ月カレンダー表示から月間カレンダー（すなわち、一ヶ月カレンダー）表示に切り替える。
【００７０】
（ｄ３．月間カレンダー表示）
図８は、月間カレンダー表示を表した図である。図８を参照して、電子辞書１は、三ヶ月カレンダーにおいて所定の時間以上タッチされ続けた月（たとえば、７月）の月間カレンダーを表示する。
【００７１】
この場合、図４に基づいて説明したように、電子辞書１は、タブ３１０が選択されているときには、記号９２，９３を、月間カレンダーにおいて表示する。なお、電子辞書１は、月間カレンダーを表示した後、スタイラスペン９をタッチスクリーン１０５から離すことにより、当該月間カレンダーの表示を維持する。
【００７２】
また、電子辞書１は、ユーザからスワイプ操作を受け付けることにより、月間カレンダー表示を維持しまま、月間カレンダーの表示月を変更することができる。たとえば、電子辞書１は、画面に対して右方向のスワイプ操作を受け付けることにより、月間カレンダー表示を、現在の表示から、現在の表示よりも過去の月の月間カレンダー（たとえば、２０１６年の６月のカレンダー）に切り替える。さらに、電子辞書１は、画面に対して左方向のスワイプ操作を受け付けることにより、月間カレンダー表示を、現在の表示から、現在の表示よりも未来の月の月間カレンダー（たとえば、２０１６年の８月のカレンダー）に切り替える。
【００７３】
なお、電子辞書１は、月間カレンダーを表示後、所定の時間以上、ユーザからのタッチ操作を受け付けていないことを条件に、カレンダー表示を、月間カレンダーからデフォルトの年間カレンダーに切り替える。なお、所定の時間以上のタッチ操作を受付けていないことを条件に切り替えるという操作方法に限らず、押した回数に応じてカレンダー表示を切り替えたり、あるいは、画面内に切り替えるためのボタンを用意しておき、当該ボタンが押されるごとにカレンダー表示を切り替えたりするように、電子辞書１を構成してもよい。また、月の表示部分（６月、７月等）がタッチされるごとにカレンダー表示を切り替えるように、電子辞書１を構成してもよい。
【００７４】
また、電子辞書１のユーザが、スタイラスペン９等によって月間カレンダーを所定の時間以上タッチし続けると、電子辞書１は、カレンダー表示を、月間カレンダー表示から年間カレンダー（すなわち、十二ヶ月カレンダー）表示に切り替える。なお、ユーザが月間カレンダーを所定の時間以上タッチし続けた場合は、電子辞書１は、年間カレンダーに戻る処理および月間カレンダーの表示を維持する処理のうちのいずれの処理を行ってもよい。また、ユーザの設定により上記の処理のいずれかが選択できるように、電子辞書１を構成してもよい。
【００７５】
＜Ｅ．新たな単語帳の生成＞
次に、指定された日にちに登録された単語を含む単語帳を生成する処理について、図９〜１６を参照して説明する。具体的には、現在登録されている単語帳を基にして、新たな単語帳を生成する処理について説明する。
【００７６】
［実施の形態３］
（ｅ１．日にちの指定）
日にちの指定方法について、図９から図１１を参照して説明する。以下では、説明の便宜上、月間カレンダーが表示される場合を例に挙げて説明する。なお、三ヶ月カレンダー等の他のカレンダー表示が行われている場合にも、月間カレンダーが表示されている場合と同様の処理がなされるため、他のカレンダー表示の場合については繰り返し説明しない。
【００７７】
図９は、閲覧画面から編集画面への切り替えの方法と、編集画面における表示内容とを説明するための図である。図９を参照して、状態（Ａ）は、７月の月間カレンダーが表示された状態において、スタイラスペン９によって編集ボタン２３０が選択された状態を表している。詳しくは、状態（Ａ）は、図４の状態（Ａ）において、当該月間カレンダーを編集するための編集ボタン２３０がユーザによって選択された状態を表している。
【００７８】
状態（Ａ）において編集ボタン２３０が選択されると、電子辞書１は、状態（Ｂ）に示すように、編集画面を表示する。状態（Ｂ）では、電子辞書１は、編集ボタン２３０を非表示とする一方、時間帯の指定を受け付けるためのリスト２６０を表示する。ユーザは、スタイラスペン９等によって、リスト２６０に含まれる複数の項目の中から１つの項目を選択することができる。また、詳細については後述するが、編集画面では、ユーザは、表示されている月間カレンダー４１０に含まれる１以上の日にちをスタイラスペン９等で指定できる。
【００７９】
なお、状態（Ｂ）において閲覧ボタン２２０が選択された場合、電子辞書１は、表示を閲覧画面の状態（具体的には、図４の状態（Ａ））に切り替える。
【００８０】
図１０は、月間カレンダーを用いて日にちを指定する処理を説明するための図である。図１０を参照して、状態（Ａ）は、ユーザがスタイラスペン９を用いてリスト２６０において時間帯（一例として、ＰＭ：Post  Meridiem）を選択した後の状態を表している。詳しくは、状態（Ａ）は、ユーザが複数の日にちを指定するために、スタイラスペン９で月間カレンダー４１０上をなぞっている状態を表している。この場合、電子辞書１は、スタイラスペン９による軌跡を、選択された時間帯“ＰＭ”に応じた態様（たとえば、青色）で表示する。
【００８１】
状態（Ｂ）は、スタイラスペン９で月間カレンダー４１０上をなぞるのを止めた後（詳しくは、スタイラスペン９をタッチスクリーン１０５から離した後）の状態を表している。この場合、電子辞書１は、上記軌跡が通過した日にちが指定されたものと判断する。さらに、電子辞書１は、当該指定された日にちの欄（図１０では、１０日、１７日、１８日、および２５日の欄）を、選択された時間帯に応じた態様（たとえば、背景をデフォルトの色（たとえば白色）から青色に変更）で表示する。
【００８２】
このように、電子辞書１では、ユーザは、リスト２６０において時間帯を指定した後に、スタイラスペン９を用いて複数の日にちを一連の操作で指定することができる。
【００８３】
図１１は、月間カレンダー４１０を用いて他の日にちをさらに指定する処理を説明するための図である。なお、説明の便宜上、図１０で説明した処理の後、既に、２回の指定処理が行われているものとする。
【００８４】
具体的には、７月の５日と１２日と１９日とが一連の一回の操作で指定され、かつ、７月の７日と１４日と２１日とが一連の一回の操作で指定されているものとする。より具体的には、リスト２６０において“自宅学習・塾”が選択された状態で、これらの六日間の日が指定されたものとする。この場合、電子辞書１は、スタイラスペン９による軌跡を、選択された時間帯“自宅学習・塾”に応じた態様（たとえば、緑色）で表示する。なお、７月１９日は、英単語および日本史の単語のいずれも登録がない日であるが、ユーザ操作に基づき指定がなされた日である。
【００８５】
図１１を参照して、状態（Ａ）は、ユーザがスタイラスペン９を用いてリスト２６０において時間帯（一例として、ＡＭ：Ante  Meridiem）を選択した後の状態を表している。詳しくは、状態（Ａ）は、ユーザが複数の日にちを指定するために、スタイラスペン９で月間カレンダー４１０上をなぞっている状態を表している。この場合、電子辞書１は、スタイラスペン９による軌跡を、選択された時間帯“ＡＭ”に応じた態様（たとえば、赤色）で表示する。
【００８６】
状態（Ｂ）は、スタイラスペン９で月間カレンダー４１０上をなぞるのを止めたのちの状態を表している。この場合、電子辞書１は、上記軌跡が通過した日にちが指定されたものと判断する。さらに、電子辞書１は、当該指定された日にちの欄（図１１では、６日、７日、および８日の欄）を、選択された時間帯に応じた態様（たとえば、背景をデフォルトの色から赤色に変更）で表示する。
【００８７】
ただし、７月７日は既に指定されているため、電子辞書１は、２回の指定が行われたことを表す態様に表示を変更する。具体的には、電子辞書１は、緑色に変更された７日の欄を、緑色と赤色とのツートンカラーに変更する。
【００８８】
このように、電子辞書１では、ユーザは、時間帯を指定した状態で複数の日にちを一連の操作で指定することができる。
【００８９】
（ｅ２．指定の取り消しおよび指定の追加）
日にちの指定を取り消す処理と、日にちの指定を追加する処理とについて、図１２〜図１４を参照して説明する。
【００９０】
図１２は、図１１の状態（Ｂ）から遷移した後の画面を表している。詳しくは、図１２は、図１１の状態（Ｂ）においてタブ３２０が選択された後の状態を表している。すなわち、図１２は、電子辞書１が英単語専用の月間カレンダー４２０を表示している状態を表している。
【００９１】
図１２を参照して、電子辞書１は、２０１６年７月の月間カレンダー４２０において、英単語の単語帳に単語が登録された日の欄には記号９２（丸印）を表示させる。なお、英単語のタブ３２０が選択されているため、電子辞書１は、日本史の単語帳に単語が登録された日の欄には記号９３（三角印）を表示さない。
【００９２】
このような表示状態において、ユーザは、スタイラスペン９によってリスト２６０から消しゴムの項目を選択した後、英単語に関して指定を取り消したい日をスタイラスペン９で指定する。詳しくは、ユーザは、英単語の単語帳に単語が登録されている日の欄を、スタイラスペン９で指定する。図１２では、７月８日の指定を取り消すための入力がなされたため、電子辞書１は、７月８日の指定を取り消す処理を行なう。電子辞書１は、当該処理に基づき、月間カレンダー４２０における７月８日の欄の色をデフォルトの色に戻す。
【００９３】
なお、図１２においては、リスト２６０において消しゴムの項目を選択することによって、日にちの指定を取り消す構成を例挙げて説明したが、これに限定されるものではない。たとえば、指定を取り消したい日の欄が所定の時間以上タッチされることにより、当該日の指定を取り消すように、電子辞書１を構成してもよい。この様な構成の場合、リスト２６０は、消しゴムの項目を有している必要はなくなる。
【００９４】
図１３は、図１２の状態から遷移した後の画面を表している。図１３を参照して、英単語専用の月間カレンダー４２０において、ユーザがリスト２６０において一例として“終日”の項目を選択した後、英単語に関して指定を追加したい日をスタイラスペン９で指定する。詳しくは、ユーザは、英単語の単語帳に単語が登録されている日の欄を、スタイラスペン９で指定する。図１３では、７月２９日の指定を追加するための入力がなされたため、電子辞書１は、７月２９日の指定を追加する処理を行なう。電子辞書１は、当該処理に基づき、月間カレンダー４２０における７月２９日の欄の色を、デフォルトの色から、選択された時間帯“終日”に応じた態様（たとえば、黄色）で表示する。
【００９５】
図１４は、図１３の状態から遷移した後の画面を表している。具体的には、図１４は、図１３の状態においてタブ３１０が選択されたときに表示される画面を表している。
【００９６】
図１４を参照して、電子辞書１は、日にちの指定の取り消しが行なわれた７月８日の表示態様を、タブ３１０が選択されている図１１の状態（Ｂ）から変更する。また、電子辞書１は、指定の追加が行なわれた７月２９日の表示態様を、図１１の状態（Ｂ）から変更する。
【００９７】
具体的には、電子辞書１は、タブ３１０に関連付けられた英和辞典および日本史辞典用の月間カレンダーにおいて、７月８日の赤色の背景領域の一部を、デフォルトの色（たとえば、白色）に変更する。典型的には、７月８日の欄に記載された記号９２の背景部分の色を、赤色からデフォルトの色に変更する。また、電子辞書１は、７月２９日の背景を、図１３に示した英単語専用の月間カレンダー４２０と同様に、デフォルトの色から黄色に変更する。
【００９８】
［実施の形態４］
（ｅ３．抽出処理）
次に、日にちの指定が行われた後に行われる抽出処理について、図１５に基づいて説明する。図１５は、抽出処理を開始させるための抽出ボタン２４０が選択されたときの処理を説明するための図である。
【００９９】
図１５を参照して、状態（Ａ）は、図１４に示した状態において抽出ボタン２４０がスタイラスペン９によって選択された直後の状態を表している。また、状態（Ｂ）は、抽出ボタン２４０が選択されることによって状態（Ａ）から遷移した後の画面を表している。
【０１００】
状態（Ｂ）に示すように、電子辞書１は、新たなタブ３４０，３５０をタッチスクリーン１０５に表示させる。さらに、電子辞書１は、タブ３３０，３４０のうちのいずれかのタブを選択状態とする。なお、以下では、図１５の状態（Ｂ）に示すようにタブ３４０が選択状態にあるとする。
【０１０１】
さらに、電子辞書１は、選択状態にあるタブ３４０に関連付けて、英単語専用の月間カレンダー４４０を表示する。なお、電子辞書１は、タブ３５０が選択された場合には、タブ３５０に関連付けられた日本史専用のカレンダーを表示する。
【０１０２】
電子辞書１は、状態（Ｂ）のようにタブ３４０が選択状態にある場合には、日本史の単語に関しては指定されている一方で、英単語に関して指定されていない日の欄の色を、デフォルトの色に変更する。たとえば、電子辞書１は、７月８日および１７日の欄の色を白色にする。また、英単語の単語帳への単語登録がそもそも行われていない日（図１５の場合には、７月１４日および１９日）の欄の色をデフォルトの色に戻す。
【０１０３】
上記の表示処理とともに、電子辞書１は、新たな単語帳を生成する。具体的には、英単語専用の月間カレンダー４４０において指定されている日に登録された単語のみを含む単語帳を新たに生成する。詳しくは、電子辞書１は、リスト２６０において選択した条件に合致する英単語のみを含む単語帳を生成する。さらに、日本史専用のカレンダー（タブ３５０が選択されることにより表示されるカレンダー）において指定されている日に登録された単語のみを含む単語帳を新たに生成する。詳しくは、電子辞書１は、リスト２６０において選択した条件に合致する日本史の単語のみを含む単語帳を生成する。
【０１０４】
このように、電子辞書１は、英単語に関する単語帳と、日本史に関する単語帳とを、別々に新たに生成する。詳しくは、電子辞書１は、リスト２１０で選択された単語帳（教科毎の単語帳）の各々から、指定された日に単語登録された単語を教科毎に抽出し、当該抽出された単語のみを含む新規の単語帳を、教科毎に生成する。
【０１０５】
このような単語帳が生成されることにより、ユーザは、自身が指定した日に単語登録された単語のみを含む単語帳を利用することができる。したがって、ユーザは、ユーザが所望する日に単語登録された単語を効率よく確認することができる。特に、教科毎に単語帳が生成されるため、ユーザは、教科毎に単語を効率よく確認することができる。
【０１０６】
なお、図１５の状態（Ｂ）では、タブ３１０が非表示としているが、タブ３１０を非選択状態として表示するように、電子辞書１を構成してもよい。
【０１０７】
（ｅ４．抽出および結合処理）
次に、日にちの指定が行われた後に行われる抽出および結合処理について、図１６に基づいて説明する。なお、抽出および結合処理は、上述した結合処理（図１５に基づいて説明した処理）との間で択一的に選択される処理である。
【０１０８】
図１６は、抽出および結合処理を開始させるための結合ボタン２５０が選択されたときの処理を説明するための図である。図１６を参照して、状態（Ａ）は、図１４に示した状態において結合ボタン２５０がスタイラスペン９によって選択された直後の状態を表している。また、状態（Ｂ）は、結合ボタン２５０が選択されることによって状態（Ａ）から遷移した後の画面を表している。
【０１０９】
状態（Ｂ）に示すように、電子辞書１は、新たなタブ３６０をタッチスクリーン１０５に表示させる。また、電子辞書１は、典型的には、タブ３６０を選択状態とする。さらに、電子辞書１は、タブ３１０を選択不可能にすべく、タブ３１０を非表示とする。
【０１１０】
また、電子辞書１は、選択状態にあるタブ３６０に関連付けて、英単語および日本史用の新たな月間カレンダー４６０を表示する。その際、電子辞書１は、状態（Ｂ）に示すように、日本史の単語および英単語のいずれに関しても指定されていない日の欄の色を、デフォルトの色に変更する。たとえば、電子辞書１は、７月８日の欄の色を白色にする。また、英単語の単語帳および日本史の単語帳への単語登録がそもそも行われていない日（図１５の場合には、７月１４日および１９日）の欄の色をデフォルトの色に戻す。
【０１１１】
上記の表示処理とともに、電子辞書１は、新たな単語帳を１つ生成する。具体的には、英単語および日本史用の月間カレンダー４６０において指定されている日に登録された英単語および日本史の単語のみを含む単語帳を新たに１つ生成する。詳しくは、電子辞書１は、リスト２６０において選択した条件に合致する単語（英単語および日本史の単語）のみを含む単語帳を生成する。
【０１１２】
このように、電子辞書１は、英単語に関する単語帳と、日本史に関する単語帳とを、一つの単語帳として新たに生成する。詳しくは、電子辞書１は、リスト２１０で選択された単語帳（教科毎の単語帳）の各々から、指定された日に単語登録された単語を一括して抽出し、当該抽出された単語のみを含む新規の単語帳を生成する。
【０１１３】
このような単語帳が生成されることにより、ユーザは、自身が指定した日に単語登録された単語のみを含む単語帳を利用することができる。したがって、ユーザは、ユーザが所望する日に単語登録された単語を効率よく確認することができる。特に、複数の教科にわたる登録単語の一部を一つにまとめた単語帳が生成されるため、ユーザは、当該複数の教科の単語を同時に確認することができる。
【０１１４】
（ｅ５．まとめ）
（１）以上のように、ある局面において、電子辞書１は、英和辞典および日本史辞典用の月間カレンダー４１０（第２のカレンダー）における日にちの欄を選択するタッチ操作（第１のユーザ操作）を受け付けることによって、日にちの指定を受け付ける。具体的には、電子辞書１の入力部２が日にちの指定を受け付ける。
【０１１５】
この場合、電子辞書１は、上記操作による日にちの指定を受け付けたことに基づき、月間カレンダー４１０において指定された日にちに登録された単語（見出し語）を含む単語帳を生成する。詳しくは、日にちの指定を入力部２が受け付けた場合、抽出ボタン２４０または結合ボタン２５０が選択されたことを条件に、生成部３１１は、英和辞典に含まれる単語（見出し語）であって、かつ月間カレンダー４１０において指定された日にちに登録された単語（見出し語）と、日本史辞典に含まれる単語（見出し語）であって、かつ月間カレンダー４１０において指定された日にちに登録された単語（見出し語）とを含む単語帳を生成する。
【０１１６】
（２）また、上記のように月間カレンダー４１０において日にちの指定を受け付けた後に、月間カレンダー４３０における日にちの欄を選択するタッチ操作（第２のユーザ操作）をさらに入力部２が受け付けた場合、抽出ボタン２４０または結合ボタン２５０が選択されたことを条件に、生成部３１１は、日本史辞典に含まれる単語（見出し語）であって、かつ月間カレンダー４３０において指定された日にちに登録された単語（見出し語）をさらに含んだ単語帳を生成する。
【０１１７】
つまり、生成部３１１は、（i）英和辞典に含まれる見出し語であって、かつ月間カレンダー４１０において指定された日にちに登録された見出し語と、（ii）日本史辞典に含まれる見出し語であって、かつ月間カレンダー４１０において指定された日にちに登録された見出し語と、（iii）日本史辞典に含まれる見出し語であって、かつ月間カレンダー４３０において指定された日にちに登録された見出し語とを含む単語帳を生成する。
【０１１８】
（３）１つの教科のカレンダー（たとえば、日本史専用の月間カレンダー４３０）のみにおいて日にちを指定し、新たに単語帳を作成することも可能である。なお、この場合には、リスト２１０において、少なくとも日本史の単語帳が選択されている状態であればよく、リスト２１０において他の単語帳が選択されているか否かは関係ない。
【０１１９】
このような局面に着目すると、電子辞書１は、以下の構成であると言える。すなわち、電子辞書１の入力部２は、日本史辞典専用の月間カレンダー４３０（第１のカレンダー）における日にちの欄を選択するユーザ操作を受け付けることによって、日にちの指定をさらに受け付ける。生成部３１１は、日本史辞典専用の月間カレンダー４３０において日にちの指定を受け付けたことに基づき、日本史辞典に含まれる単語（見出し語）であって、かつ、月間カレンダー４３０において指定された日にちに登録された単語（見出し語）を含む単語帳をさらに生成する。
【０１２０】
＜Ｆ．制御構造＞
図１７は、電子辞書１の処理の流れを表したフローチャートである。なお、以下では、少なくとも１つの単語帳がリスト２１０において既に選択されているものとする。
【０１２１】
図１７を参照して、ステップＳ２において、電子辞書１（詳しくは、ＣＰＵ１０１）は、リスト２１０において、複数の科目の単語帳が選択されたか否かを判断する。
【０１２２】
電子辞書１は、複数の科目の単語帳が選択されたと判断された場合（ステップＳ２においてＹＥＳ）、ステップＳ４において、各教科専用のカレンダーと、全ての科目用のカレンダーとを、タブ形式で切り替え可能に表示する。具体的には、たとえば、図４に示したように、日本史専用のカレンダーとしての月間カレンダー４３０（図４の状態（Ａ）参照）と、英単語専用の月間カレンダー（図示せず）と、全ての科目用のカレンダーとしての月間カレンダー４１０（図４の状態（Ｂ）参照）とを、タブ形式で切り替え可能に表示する。
【０１２３】
電子辞書１は、１つの教科の単語帳しか選択されていないと判断された場合（ステップＳ２においてＮＯ）、ステップＳ６において、選択された単語帳に単語が登録された日を特定する。その後、電子辞書１は、ステップＳ８において、特定された日と同じ日の欄に予め定められた記号（たとえば、記号９２または記号９３）を表示したカレンダーを表示する。
【０１２４】
図１８は、図１７におけるステップＳ４における処理の流れを表したフローチャートである。ステップＳ４２において、電子辞書１は、全ての教科用のカレンダーに関連付けられたタブ（たとえば、図４におけるタブ３１０）が選択されているか否かを判断する。
【０１２５】
電子辞書１は、全ての教科用のカレンダーに関連付けられたタブが選択されていると判断された場合（ステップＳ４２においてＹＥＳ）、ステップＳ４４において、選択された全ての教科の単語帳に単語が登録された日を特定する。その後、電子辞書１は、ステップＳ４６において、特定された日と同じ日の欄に、予め定められた記号を表示する。一方、電子辞書１は、全ての教科用のカレンダーに関連付けられたタブが選択されていないと判断した場合（ステップＳ４２においてＮＯ）、ステップＳ４８において、選択状態にあるタブ（たとえば、図４の状態（Ｂ）では、タブ３３０）に関連する教科の単語帳に単語が登録された日を特定する。
【０１２６】
＜Ｇ．変形例＞
（１）図１０に示したように、電子辞書１は、スタイラスペン９による軌跡の線幅を、月間カレンダーと、三ヶ月カレンダーと、六ヶ月カレンダーと、年間カレンダーとで異ならせてもよい。具体的には、電子辞書１は、月間カレンダー、三ヶ月カレンダー、六ヶ月カレンダー、年間カレンダーの順に、線幅を狭くすることが好ましい。つまり、画面に表示させる月数が増えるほど、軌跡の線幅を狭くすることが好ましい。
【０１２７】
このような構成にすることによって、ユーザは、各カレンダーにおいて、日にちを指定し易くなる。特に、表示させる月数が増えれば増えるほど、１つの日にちの欄が小さくなる。それゆえ、表示させる月数が増えれば増えるほど、線幅を狭くすることにより、ユーザが希望する日を指定し易くなる。
【０１２８】
（２）リスト２６０における各項目に対応付けられた色の配色を、ユーザが変更できるように、電子辞書１を構成することが好ましい。
【０１２９】
（３）また、リスト２６０の項目は、ユーザが編集（表示する項目の選択、追加、および削除等）できるように、電子辞書１を構成することが好ましい。
【０１３０】
（４）リスト２６０においては、学校と、自宅学習および塾といった場所に関する項目を設けた例を説明した。当該項目は、曜日および日時を予めユーザが設定したものである。たとえば、学校には、月曜から金曜日の８時から１７時が対応付けられている。自宅学習および塾には、土曜および日曜を含む、学校以外の時間帯が対応付けられている。
【０１３１】
このように学校等に曜日や時間帯を対応付けるのではなく、電子辞書１の位置情報を利用してもよい。たとえば、電子辞書１にＧＰＳ（Global Positioning System）受信機を搭載し、学校等の位置情報を予め記憶させておく。
【０１３２】
さらに、単語登録の際に、単語登録を行なった地点の位置情報も記憶するように、電子辞書１を構成する。このような構成によれば、リスト２６０で学校を選択した場合には、単語帳に記憶された位置情報から、学校で登録された単語を抽出できる。したがって、学校等の場所を表す項目に対して、曜日や時間帯を予め登録する必要がなくなる。
【０１３３】
また、リスト２６０においては、場所と時間帯とを選択可能なように構成してもよい。この場合には、場所および時間帯の少なくとも一方をユーザが選択することによって、電子辞書１は、当該選択後にユーザによって指定された日にちのうち、選択された条件のタイミングで登録された単語を抽出することによって、新たな単語帳を生成することができる。
【０１３４】
＜Ｈ．付記＞
（１）電子辞書１等の電子機器で実行される表示制御方法について記載すると、以下のとおりである。
【０１３５】
表示制御方法は、各々が指定可能な複数の第１のデータを含む第１のコンテンツと、各々が指定可能な複数の第２のデータを含む第２のコンテンツとを記憶した電子機器において実行される。
【０１３６】
電子機器は、上記第１のデータが指定された日を表す第１の指定日情報と、上記第２のデータが指定された日を表す第２の指定日情報とをさらに記憶しており、上記第１のコンテンツ専用の第１のカレンダーと上記第１のコンテンツおよび上記第２のコンテンツ用の第２のカレンダーとを、各々に対応付けられたタブによってディスプレイに切り替え表示可能である。
【０１３７】
上記表示制御方法は、（i）上記第１のカレンダーを表示させる場合には、上記第１の指定日情報に基づいて、上記第１のデータが指定された日と同じ日の欄に予め定められたオブジェクトを表示させる一方で、上記第２のデータが指定された日と同じ日の欄には上記オブジェクトを表示させないステップと、（ii）上記第２のカレンダーを表示させる場合には、上記第１の指定日情報と上記第２の指定日情報とに基づいて、上記第１のデータが指定された日と同じ日の欄と上記第２のデータが指定された日と同じ日の欄とに、上記オブジェクトを表示させるステップとを備える。
【０１３８】
（２）以下のプログラムを電子機器に実行させることにより、上述した表示処理を実現することができる。
【０１３９】
プログラムは、各々が指定可能な複数の第１のデータを含む第１のコンテンツと、各々が指定可能な複数の第２のデータを含む第２のコンテンツとを記憶した電子機器において実行される。
【０１４０】
電子機器は、上記第１のデータが指定された日を表す第１の指定日情報と、上記第２のデータが指定された日を表す第２の指定日情報とをさらに記憶しており、上記第１のコンテンツ専用の第１のカレンダーと上記第１のコンテンツおよび上記第２のコンテンツ用の第２のカレンダーとを、各々に対応付けられたタブによってディスプレイに切り替え表示可能である。
【０１４１】
上記プログラムは、（i）上記第１のカレンダーを表示させる場合には、上記第１の指定日情報に基づいて、上記第１のデータが指定された日と同じ日の欄に予め定められたオブジェクトを表示させる一方で、上記第２のデータが指定された日と同じ日の欄には上記オブジェクトを表示させないステップと、（ii）上記第２のカレンダーを表示させる場合には、上記第１の指定日情報と上記第２の指定日情報とに基づいて、上記第１のデータが指定された日と同じ日の欄と上記第２のデータが指定された日と同じ日の欄とに、上記オブジェクトを表示させるステップとを、上記電子機器のプロセッサに実行させる。
【０１４２】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０１４３】
１  電子辞書、２  入力部、３  制御部、４  記憶部、５  表示部、９  スタイラスペン、３１  単語帳管理部、３２  表示制御部、４０  コンテンツ記憶部、４１  国語辞典、４２  英和辞典、４３  和英辞典、４４  世界史辞典、５０  単語帳記憶部、５１，５２，５３  単語帳、９２，９３  記号、１０４  フラッシュメモリ、１０５  タッチスクリーン、１０６  スピーカ、１０７  操作キー、２１０，２６０  リスト、２２０  閲覧ボタン、２３０  編集ボタン、２４０  抽出ボタン、２５０  結合ボタン、３１０，３２０，３３０，３４０，３５０，３６０  タブ、３１１  生成部、４１０，４２０，４３０  月間カレンダー、１０５１  ディスプレイ、１０５２  タッチパネル。
【図１】
0006661406.tif 000002
【図２】
0006661406.tif 000003
【図３】
0006661406.tif 000004
【図４】
0006661406.tif 000005
【図５】
0006661406.tif 000006
【図６】
0006661406.tif 000007
【図７】
0006661406.tif 000008
【図８】
0006661406.tif 000009
【図９】
0006661406.tif 000010
【図１０】
0006661406.tif 000011
【図１１】
0006661406.tif 000012
【図１２】
0006661406.tif 000013
【図１３】
0006661406.tif 000014
【図１４】
0006661406.tif 000015
【図１５】
0006661406.tif 000016
【図１６】
0006661406.tif 000017
【図１７】
0006661406.tif 000018
【図１８】
0006661406.tif 000019